(57)【要約】【課題】冷蔵庫の付属部品を一括に保持するための専用の包装材を削減することができる冷蔵庫の付属部品の結合構造を提供する。【解決手段】冷蔵庫を運搬するために、蒸発皿４および製氷皿３を一括に保持して冷蔵庫本体に同梱する場合に、上記蒸発皿４の結合部としての係止部４１と、上記製氷皿３の結合部としての端部３１とを、結合することで、上記蒸発皿４および上記製氷皿３を簡単に一括に保持できる。【選択図】図３
2009058170.tif 000002
【特許請求の範囲】
【請求項１】
冷蔵庫本体に着脱可能な第１の付属部品および第２の付属部品を有し、
上記第１の付属部品および上記第２の付属部品は、それぞれ、結合部を有し、
上記第１の付属部品の上記結合部および上記第２の付属部品の上記結合部は、互いに結合可能であることを特徴とする冷蔵庫の付属部品の結合構造。
【請求項２】
請求項１に記載の冷蔵庫の付属部品の結合構造において、
上記第１の付属部品は、上記冷蔵庫本体の庫内の外側に取り付けられる部品であり、
上記第２の付属部品は、上記冷蔵庫本体の庫内に取り付けられる部品であることを特徴とする冷蔵庫の付属部品の結合構造。
【請求項３】
請求項２に記載の冷蔵庫の付属部品の結合構造において、
上記第１の付属部品は、係止部が設けられた本体部を有し、
上記第２の付属部品は、本体部を有し、
上記第１の付属部品の上記結合部は、上記第１の付属部品の上記係止部であり、
上記第２の付属部品の上記結合部は、上記第２の付属部品の上記本体部の端部であることを特徴とする冷蔵庫の付属部品の結合構造。
【請求項４】
請求項３に記載の冷蔵庫の付属部品の結合構造において、
上記係止部は、爪状であることを特徴とする冷蔵庫の付属部品の結合構造。
【請求項５】
請求項３に記載の冷蔵庫の付属部品の結合構造において、
上記係止部は、凹み状であることを特徴とする冷蔵庫の付属部品の結合構造。
【発明の詳細な説明】
【技術分野】
【０００１】
この発明は、冷蔵庫の付属部品の結合構造に関する。
【背景技術】
【０００２】
一般に、冷蔵庫は、冷蔵庫本体と、この冷蔵庫本体に取り付けられる付属部品としての複数の棚とを有する。そして、冷蔵庫を運搬するときに、複数の棚を一括に保持して、冷蔵庫本体に同梱していた。
【０００３】
従来、複数の棚を一括に保持する方法として、複数の棚をマットの上にのせ、このマットで棚の両側を包んで保護して、その外側を数本のバンドで縛って、複数の棚を一括に保持していた（特開平６−３１２７８３号公報：特許文献１参照）。
【特許文献１】特開平６−３１２７８３号公報（図９）
【発明の開示】
【発明が解決しようとする課題】
【０００４】
しかしながら、従来のように、複数の棚を一括に保持する方法では、複数の棚を一括に保持するための専用の包装材が、多量に、必要であった。
【０００５】
そこで、この発明の課題は、冷蔵庫の付属部品を一括に保持するための専用の包装材を削減することができる冷蔵庫の付属部品の結合構造を提供することにある。
【課題を解決するための手段】
【０００６】
上記課題を解決するため、この発明の冷蔵庫の付属部品の結合構造は、
冷蔵庫本体に着脱可能な第１の付属部品および第２の付属部品を有し、
上記第１の付属部品および上記第２の付属部品は、それぞれ、結合部を有し、
上記第１の付属部品の上記結合部および上記第２の付属部品の上記結合部は、互いに結合可能であることを特徴としている。
【０００７】
この発明の冷蔵庫の付属部品の結合構造によれば、上記第１の付属部品の上記結合部および上記第２の付属部品の上記結合部は、互いに結合可能であるので、例えば、上記冷蔵庫を運搬するために、上記第１の付属部品および上記第２の付属部品を一括に保持して上記冷蔵庫本体に同梱する場合に、上記第１の付属部品の上記結合部と上記第２の付属部品の上記結合部とを結合することで、上記第１の付属部品および上記第２の付属部品を簡単に一括に保持できる。
【０００８】
したがって、上記第１の付属部品および上記第２の付属部品を一括に保持するための専用の包装材を、削減することができる。
【０００９】
また、一実施形態の冷蔵庫の付属部品の結合構造では、
上記第１の付属部品は、上記冷蔵庫本体の庫内の外側に取り付けられる部品であり、
上記第２の付属部品は、上記冷蔵庫本体の庫内に取り付けられる部品である。
【００１０】
ここで、上記第１の付属部品は、例えば、蒸発皿であり、上記第２の付属部品は、例えば、製氷皿や棚である。
【００１１】
この実施形態の冷蔵庫の付属部品の結合構造によれば、上記第１の付属部品は、上記冷蔵庫本体の庫内の外側に取り付けられる部品であり、上記第２の付属部品は、上記冷蔵庫本体の庫内に取り付けられる部品であるので、上記冷蔵庫本体の庫内外の付属部品を一括に保持できる。
【００１２】
また、一実施形態の冷蔵庫の付属部品の結合構造では、
上記第１の付属部品は、係止部が設けられた本体部を有し、
上記第２の付属部品は、本体部を有し、
上記第１の付属部品の上記結合部は、上記第１の付属部品の上記係止部であり、
上記第２の付属部品の上記結合部は、上記第２の付属部品の上記本体部の端部である。
【００１３】
この実施形態の冷蔵庫の付属部品の結合構造によれば、上記第１の付属部品の上記結合部は、上記第１の付属部品の上記係止部であり、上記第２の付属部品の上記結合部は、上記第２の付属部品の上記本体部の端部であるので、上記第１の付属部品の上記本体部のみに上記係止部を設けるだけで、上記第１の付属部品および上記第２の付属部品を互いに結合できる。
【００１４】
このように、庫内に取り付けられる上記第２の付属部品に、上記係止部を設けなくてもよく、庫内のスペースを広く活用できる。
【００１５】
また、一実施形態の冷蔵庫の付属部品の結合構造では、上記係止部は、爪状である。
【００１６】
この実施形態の冷蔵庫の付属部品の結合構造によれば、上記係止部は、爪状であるので、上記係止部を簡単な形状にできる。
【００１７】
また、一実施形態の冷蔵庫の付属部品の結合構造では、上記係止部は、凹み状である。
【００１８】
この実施形態の冷蔵庫の付属部品の結合構造によれば、上記係止部は、凹み状であるので、上記係止部を簡単な形状にできる。
【発明の効果】
【００１９】
この発明の冷蔵庫の付属部品の結合構造によれば、上記第１の付属部品の上記結合部および上記第２の付属部品の上記結合部は、互いに結合可能であるので、冷蔵庫の付属部品を一括に保持するための専用の包装材を削減することができる。
【発明を実施するための最良の形態】
【００２０】
以下、この発明を図示の実施の形態により詳細に説明する。
【００２１】
（第１の実施形態）
図１は、本発明の付属部品の結合構造を有する冷蔵庫の一実施形態である断面図を示している。この冷蔵庫は、冷蔵庫本体１と、この冷蔵庫本体１に着脱可能に取り付けられる付属部品とを有する。
【００２２】
上記冷蔵庫は、図示しない圧縮機、凝縮器、膨張部および蒸発器を有し、上記圧縮機、上記凝縮器、上記膨張部および上記蒸発器は、循環回路を介して、接続されて、冷凍サイクルを形成する。
【００２３】
上記冷蔵庫本体１は、庫内としての冷蔵室１ａおよび冷凍室１ｂを有する。上記冷蔵室１ａは、上記冷凍室１ｂの上側に、位置している。
【００２４】
上記付属部品は、複数の棚２、製氷皿３、および、蒸発皿４である。上記棚２は、上記冷蔵室１ａおよび上記冷凍室１ｂに、取り付けられ、上記製氷皿３は、上記冷凍室１ｂに、取り付けられ、上記蒸発皿４は、上記冷蔵庫本体１の庫内の外側に取り付けられる。
【００２５】
図２は、本発明の冷蔵庫の付属部品の結合構造の第１実施形態である斜視図を示している。この結合構造は、第１の付属部品としての上記蒸発皿４と、第２の付属部品としての上記製氷皿３とを有する。上記蒸発皿４は、上記冷蔵庫本体１の庫内の外側に取り付けられる部品であり、上記製氷皿３は、上記冷蔵庫本体１の庫内に取り付けられる部品である。
【００２６】
上記蒸発皿４および上記製氷皿３は、それぞれ、結合部を有し、上記蒸発皿４の上記結合部および上記製氷皿３の上記結合部は、互いに結合可能である。つまり、上記蒸発皿４は、係止部４１が設けられた本体部４０を有し、上記蒸発皿４の上記結合部は、上記蒸発皿４の上記係止部４１である。上記製氷皿３は、本体部３０を有し、上記製氷皿３の上記結合部は、上記製氷皿３の上記本体部３０の端部３１である。
【００２７】
上記製氷皿３において、上記端部３１は、上記本体部３０の短手方向の両端に位置する。上記蒸発皿４において、上記係止部４１は、上記本体部４０の底部で、上記製氷皿３の両方の上記端部３１，３１を、係止するように、設けられている。上記係止部４１は、爪状である。
【００２８】
上記構成の冷蔵庫の付属部品の結合構造によれば、例えば、上記冷蔵庫を運搬するために、上記蒸発皿４および上記製氷皿３を一括に保持して上記冷蔵庫本体１に同梱する場合に、図３に示すように、上記蒸発皿４の結合部としての上記係止部４１と、上記製氷皿３の結合部としての上記端部３１とを、結合することで、上記蒸発皿４および上記製氷皿３を簡単に一括に保持できる。
【００２９】
これに対して、図４の比較例に示すように、従来の蒸発皿１００および製氷皿１０１では、上記製氷皿１０１の両端を、上記蒸発皿１００の底部に、テープ１０２にて貼り付けて、上記蒸発皿１００および上記製氷皿１０１を一括に保持していた。
【００３０】
したがって、本発明では、上記蒸発皿４および上記製氷皿３を一括に保持するための専用の包装材としてのテープ１０２を、削減することができる。また、冷蔵庫の生産上、付属部品の、取付け忘れ、取付け間違い、および、取付け不良を、防ぐことができ、かつ、生産の効率化の効果がある。
【００３１】
また、上記蒸発皿４は、上記冷蔵庫本体１の庫内の外側に取り付けられる付属部品であり、上記製氷皿３は、上記冷蔵庫本体１の庫内に取り付けられる付属部品であるので、上記冷蔵庫本体１の庫内外の付属部品を一括に保持できる。
【００３２】
また、上記蒸発皿４の上記結合部は、上記蒸発皿４の上記係止部４１であり、上記製氷皿３の上記結合部は、上記製氷皿３の上記本体部３０の端部３１であるので、上記蒸発皿４の上記本体部４０のみに上記係止部４１を設けるだけで、上記蒸発皿４および上記製氷皿３を互いに結合できる。このように、庫内に取り付けられる上記製氷皿３に、上記係止部４１を設けなくてもよく、庫内のスペースを広く活用できる。また、上記係止部４１は、爪状であるので、上記係止部４１を簡単な形状にできる。
【００３３】
（第２の実施形態）
図５は、この発明の冷蔵庫の付属部品の結合構造の第２の実施形態を示している。なお、この第２の実施形態において、上記第１の実施形態と同一の部分には、同一の参照番号を付して、詳細な説明を省略する。
【００３４】
この結合構造は、第１の付属部品としての蒸発皿５と、第２の付属部品としての棚２とを有する。上記蒸発皿５は、冷蔵庫本体１の庫内の外側に取り付けられる部品であり、上記棚２は、冷蔵庫本体１の庫内に取り付けられる部品である。
【００３５】
上記蒸発皿５および上記棚２は、それぞれ、結合部を有し、上記蒸発皿５の上記結合部および上記棚２の上記結合部は、互いに結合可能である。つまり、上記蒸発皿５は、係止部５１が設けられた本体部５０を有し、上記蒸発皿５の上記結合部は、上記蒸発皿５の上記係止部５１である。上記棚２は、本体部２０を有し、上記棚２の上記結合部は、上記棚２の上記本体部２０の端部２１である。
【００３６】
上記棚２において、上記端部２１は、上記本体部２０の短手方向の両端に位置する。上記蒸発皿５において、上記係止部５１は、上記本体部５０の側部で、上記棚２の一方の上記端部２１を、係止するように、設けられている。上記係止部５１は、凹み状である。
【００３７】
上記構成の冷蔵庫の付属部品の結合構造によれば、例えば、上記冷蔵庫を運搬するために、上記蒸発皿５および上記棚２を一括に保持して上記冷蔵庫本体１に同梱する場合に、図６に示すように、上記蒸発皿５の結合部としての上記係止部５１と、上記棚２の結合部としての上記一方の端部２１とを、結合すると共に、上記棚２の他方の上記端部２１を、上記蒸発皿５に、テープ６にて貼り付けることで、上記蒸発皿５および上記棚２を簡単に一括に保持できる。
【００３８】
これに対して、図７の比較例に示すように、従来の蒸発皿１００および棚１０３では、上記棚１０３の両端を、上記蒸発皿１００に、テープ１０２にて貼り付けて、上記蒸発皿１００および上記棚１０３を一括に保持していた。
【００３９】
したがって、本発明では、上記蒸発皿５および上記棚２を一括に保持するための専用の包装材としてのテープ６を、削減することができる。また、冷蔵庫の生産上、付属部品の、取付け忘れ、取付け間違い、および、取付け不良を、防ぐことができ、かつ、生産の効率化の効果がある。
【００４０】
また、上記蒸発皿５は、上記冷蔵庫本体１の庫内の外側に取り付けられる付属部品であり、上記棚２は、上記冷蔵庫本体１の庫内に取り付けられる付属部品であるので、上記冷蔵庫本体１の庫内外の付属部品を一括に保持できる。
【００４１】
また、上記蒸発皿５の上記結合部は、上記蒸発皿５の上記係止部５１であり、上記棚２の上記結合部は、上記棚２の上記本体部２０の端部２１であるので、上記蒸発皿５の上記本体部５０のみに上記係止部５１を設けるだけで、上記蒸発皿５および上記棚２を互いに結合できる。このように、庫内に取り付けられる上記棚２に、上記係止部５１を設けなくてもよく、庫内のスペースを広く活用できる。また、上記係止部５１は、凹み状であるので、上記係止部５１を簡単な形状にできる。
【００４２】
なお、この発明は上述の実施形態に限定されない。例えば、この実施形態では、２つの付属部品を互いに結合するようにしているが、３つ以上の付属部品を互いに結合するようにしてもよい。また、互いに結合する付属部品が、庫内同士の付属部品であってもよく、または、庫外同士の付属部品であってもよい。また、互いに結合する付属部品において、少なくとも一方に、係止部を設ければよい。
【図面の簡単な説明】
【００４３】
【図１】本発明の付属部品の結合構造を有する冷蔵庫の一実施形態を示す断面図である。
【図２】本発明の冷蔵庫の付属部品の結合構造の第１実施形態を示す斜視図である。
【図３】蒸発皿および製氷皿を固定した状態を示す断面図である。
【図４】従来の蒸発皿および製氷皿を固定した状態を示す断面図である。
【図５】本発明の冷蔵庫の付属部品の結合構造の第２実施形態を示す斜視図である。
【図６】蒸発皿および棚を固定した状態を示す断面図である。
【図７】従来の蒸発皿および棚を固定した状態を示す断面図である。
【符号の説明】
【００４４】
１    冷蔵庫本体
１ａ  冷蔵室（庫内）
１ｂ  冷凍室（庫内）
２    棚（付属部品）
２０  本体部
２１  端部
３    製氷皿（付属部品）
３０  本体部
３１  端部
４    蒸発皿（付属部品）
４０  本体部
４１  係止部
５    蒸発皿（付属部品）
５０  本体部
５１  係止部
６    テープ
【図１】
2009058170.tif 000003
【図２】
2009058170.tif 000004
【図３】
2009058170.tif 000005
【図４】
2009058170.tif 000006
【図５】
2009058170.tif 000007
【図６】
2009058170.tif 000008
【図７】
2009058170.tif 000009